(57)【要約】【課題】表示装置において、ページめくりを好適に行う。【解決手段】表示装置（１）は、第１表示部（１１０）及び第２表示部（１２０）と、画像の表示を制御する制御手段（３００）と、ユーザによる画像書き換え操作を入力可能な入力手段（２００）とを備えている。制御手段は、第１表示部及び第２表示部のいずれか一方を書き換え対象として認識する認識手段（３１０）と、書き換え対象として認識されているのが、第１表示部及び第２表示部のいずれであるかをユーザに通知する通知手段（３３０）と、入力手段によって画像書き換え操作が入力された場合に、書き換え対象として認識された一方の表示部の画像を、画像書き換え操作に応じて書き換える書換手段（３４０）と、所定の条件を満たした場合に、書き換え対象を他方へと変更するように認識手段を制御する変更手段（３２０）とを備える。【選択図】図１
2013097023.tif 000002
【特許請求の範囲】
【請求項１】
画像を表示する第１表示部及び第２表示部と、
前記第１表示部及び前記第２表示部における画像の表示を制御する制御手段と、
ユーザによる画像書き換え操作を前記制御手段へ入力可能な入力手段と
を備え、
前記制御手段は、
前記第１表示部及び前記第２表示部のいずれか一方を書き換え対象として認識する認識手段と、
前記書き換え対象として認識されているのが、前記第１表示部及び前記第２表示部のいずれであるかを前記ユーザに通知する通知手段と、
前記入力手段によって前記画像書き換え操作が入力された場合に、前記書き換え対象として認識された一方の表示部の画像を、前記画像書き換え操作に応じて書き換える書換手段と、
所定の条件を満たした場合に、前記書き換え対象を前記第１表示部及び前記第２表示部の他方へと変更するように前記認識手段を制御する変更手段と
を備えることを特徴とする表示装置。
【請求項２】
前記変更手段は、前記入力手段における入力から所定の時間が経過した場合に、前記書き換え対象を前記第１表示部及び前記第２表示部の他方へと変更するように前記認識手段を制御することを特徴とする請求項１に記載の表示装置。
【請求項３】
前記入力手段は、前記書き換え対象を変更するための書き換え対象変更操作を前記制御手段へ入力可能であり、
前記変更手段は、前記入力手段において前記書き換え対象変更操作が入力された場合に、前記書き換え対象を前記第１表示部及び前記第２表示部の他方へと変更するように前記認識手段を制御することを特徴とする請求項１又は２に記載の表示装置。
【請求項４】
前記入力手段は、
前記書き換え対象として認識された一方の表示部の画像を、次ページの画像へと書き換える前記画像書き換え操作を入力するための第１スイッチと、
前記書き換え対象として認識された一方の表示部の画像を、前ページの画像へと書き換える前記画像書き換え操作を入力するための第２スイッチと、
前記書き換え対象変更操作を入力するための第３スイッチと
を有することを特徴とする請求項３に記載の表示装置。
【請求項５】
前記入力手段は、前記書き換え対象として認識された一方の表示部の画像を、所定ページの画像へと書き換える前記画像書き換え操作を入力するための第４スイッチを有することを特徴とする請求項１から４のいずれか一項に記載の表示装置。
【請求項６】
前記入力手段は、前記画像書き換え操作及び前記書き換え対象変更操作の少なくとも一方について、操作が入力される直前の状態へと戻す取り消し操作を入力可能であることを特徴とする請求項１から５のいずれか一項に記載の表示装置。
【請求項７】
前記制御手段は、前記書き換え対象が一方の表示部から他方の表示部へと変更された際に、前記一方の表示部における表示を更新する更新手段を備えることを特徴とする請求項１から６のいずれか一項に記載の表示装置。
【請求項８】
前記第１表示部及び前記第２表示部において表示可能な複数ページの画像データを記憶する記憶手段を備えることを特徴とする請求項１から７のいずれか一項に記載の表示装置。
【請求項９】
前記入力手段は、フットスイッチであることを特徴とする請求項１から８のいずれか一項に記載の表示装置。
【請求項１０】
前記第１表示部及び第２表示部は、それぞれ楽譜を表示することを特徴とする請求項１から９のいずれか一項に記載の表示装置。
【請求項１１】
画像を表示する第１表示部及び第２表示部と、前記第１表示部及び前記第２表示部における画像の表示を制御する制御手段と、ユーザによる画像書き換え操作を前記制御手段へ入力可能な入力手段とを備える表示装置の制御方法であって、
前記第１表示部及び前記第２表示部のいずれか一方を書き換え対象として認識する認識工程と、
前記書き換え対象として認識されているのが、前記第１表示部及び前記第２表示部のいずれであるかを前記ユーザに通知する通知工程と、
前記入力手段によって前記画像書き換え操作が入力された場合に、前記書き換え対象として認識された一方の表示部の画像を、前記画像書き換え操作に応じて書き換える書換工程と、
所定の条件を満たした場合に、前記書き換え対象を前記第１表示部及び前記第２表示部の他方へと変更する変更工程と
を含むことを特徴とする表示装置の制御方法。
【発明の詳細な説明】
【技術分野】
【０００１】
本発明は、例えば電気泳動表示装置等の表示装置、及び該表示装置の制御方法の技術分野に関する。
【背景技術】
【０００２】
この種の表示装置の一例として、例えば楽器を演奏する際に用いる楽譜を電子的に表示する楽譜表示装置が知られている。楽譜表示装置では、例えば楽器で両手がふさがっている状態でもページをめくることができるように、手を用いずに済むフットペダル等が入力装置として用いられる（例えば、特許文献１参照）。入力装置には、例えばページ送りスイッチやページ戻しスイッチが設けられ、演奏者は演奏の進行に応じて楽譜のページを切替えつつ演奏を行う。
【先行技術文献】
【特許文献】
【０００３】
【特許文献１】特開２００４−１４５２２０号公報
【発明の概要】
【発明が解決しようとする課題】
【０００４】
しかしながら、単純に楽譜を１ページずつ進めていくような方法では、ページめくりの際に楽譜の演奏中の部分までもが書き換え対象となり、演奏者の演奏が阻害されてしまうおそれがある。また、反復記号（例えば、ダ・カーポ、ダル・セーニョ、トゥ・コーダ等）を含んでおり、複数のページを複数回前後して演奏するような楽譜を用いる場合には、楽譜をめくる操作が比較的複雑になってしまい、演奏者にとって参照したい楽譜を表示させることが困難となってしまうおそれがある。即ち、特許文献１に記載されているような楽譜表示装置では、演奏に合わせて適切に楽譜をめくることが困難な状況が生じ得るという技術的問題点がある。
【０００５】
本発明は、例えば前述した問題点に鑑みなされたものであり、ページめくりを好適に行うことが可能な表示装置、及び該表示装置の制御方法を提供することを課題とする。
【課題を解決するための手段】
【０００６】
本発明に係る表示装置は上記課題を解決するために、画像を表示する第１表示部及び第２表示部と、前記第１表示部及び前記第２表示部における画像の表示を制御する制御手段と、ユーザによる画像書き換え操作を前記制御手段へ入力可能な入力手段とを備え、前記制御手段は、前記第１表示部及び前記第２表示部のいずれか一方を書き換え対象として認識する認識手段と、前記書き換え対象として認識されているのが、前記第１表示部及び前記第２表示部のいずれであるかを前記ユーザに通知する通知手段と、前記入力手段によって前記画像書き換え操作が入力された場合に、前記書き換え対象として認識された一方の表示部の画像を、前記画像書き換え操作に応じて書き換える書換手段と、所定の条件を満たした場合に、前記書き換え対象を前記第１表示部及び前記第２表示部の他方へと変更するように前記認識手段を制御する変更手段とを備える。
【０００７】
本発明に係る表示装置は、例えば楽譜等の画像を表示する第１表示部及び第２表示部を備えている。第１表示部及び第２表示部は、例えばマイクロカプセル中に電気泳動素子を含んでなる電気泳動表示装置や、基板中に液晶を挟持してなる液晶表示装置等として構成される。なお、第１表示部及び第２表示部は、互いに物理的に分離された相異なる表示部でなくともよい。具体的には、例えば一の表示部における画面の左半分の領域が第１表示部とされ、画面の右半分の領域が第２表示部とされることで、互いに異なる画像を表示するような構成であってもよい。
【０００８】
第１表示部及び第２表示部は、例えばコントローラー等として構成される制御手段によって画像の表示が制御される。例えば、第１表示部及び第２表示部は、複数の走査線と複数のデータ線との交差に対応して例えばマトリクス状に配列された複数の画素を有するように構成され、制御手段は、第１表示部及び第２表示部の各画素の画素電極に画像データに応じたデータ電位を供給する。より具体的には、制御手段が所定のフレーム期間中に、複数の画素の各々における画素電極に画像データに応じたデータ電位を供給する（具体的には、所定のフレーム期間中に、複数の走査線を所定の順番で１回ずつ選択するとともに、該選択した走査線に対応する画素における画素電極にデータ電位を複数のデータ線を介して供給する）電位供給（言い換えれば、所定のフレーム期間中に画像データに応じたデータ電位を複数の画素の各々の画素電極に書き込む書き込み動作）を複数回行うことにより、第１表示部及び第２表示部の各々に画像データに応じた画像が表示される。
【０００９】
本発明に係る表示装置は更に、ユーザによる画像書き換え操作を制御手段へ入力可能な入力手段を備えている。入力手段は、例えばフットスイッチ、表示装置の筐体のボタン、付属するペンのボタン、リモコン、視線読み取り装置、タッチパネル等として構成される。なお、ここでの「画像書き換え操作」とは、現在表示されている画像を他の画像へと書き換える指示として入力されるものであり、例えばページ送り操作やページ戻し操作、或いはページジャンプ操作等が挙げられる。
【００１０】
本発明に係る表示装置の動作時には、認識手段によって、第１表示部及び第２表示部のいずれか一方が書き換え対象として認識されている。なお、ここでの「書き換え対象」とは、入力手段によって入力される画像書き換え操作に応じて画像が書き換えられる表示部を選択的に定義するものであり、第１表示部及び第２表示部のいずれか一方に設定される。
【００１１】
また、第１表示部及び第２表示部のいずれが書き換え対象であるかは、通知手段によってユーザに通知されている。このため、ユーザはいずれの表示部が書き換え対象となっているかを知ることができる。通知手段の通知方法としては、例えば第１表示部及び第２表示部へのマーク表示（即ち、書き換え対象であることを示すマークの表示）やＬＥＤ（Light Emitting Diode）ランプによる表示の他、音による通知等、ユーザに書き換え対象を知らせることができるものであれば様々な方法を用いることができる。
【００１２】
ここで、書き換え対象とされた表示部の画像を書き換えるために、ユーザが入力手段によって画像書き換え操作を入力すると、書換手段によって、書き換え対象として認識された一方の表示部の画像が、入力された画像書き換え操作に応じて書き換えられる。例えば、第１表示部に１ページ目の画像、第２表示部に２ページ目の画像が表示されており、第１表示部が書き換え対象として認識されている場合に、ユーザがページ送りの画像書き換え操作を入力したとする。この場合、第１表示部に表示されていた１ページ目の画像が、第２表示部に表示されている２ページ目の画像の次のページである３ページ目の画像へと書き換えられる。
【００１３】
また、書き換え対象は、所定の条件を満たした場合に、変更手段によって変更される。なお、ここでの「所定の条件」は、装置の用途に応じて適宜設定することが可能である。例えば変更手段は、入力手段による入力から所定の時間が経過した場合に書き換え対象を変更するようにする。或いは変更手段は、ユーザの操作に応じて書き換え対象を変更するようにする。
【００１４】
このように書き換え対象が変更されることにより、ユーザは第１表示部及び第２表示部の画像を適宜書き換えることが可能となる。例えば、上述した例を用いて説明すると、第１表示部に表示されていた１ページ目の画像が、第２表示部に表示されている２ページ目の画像の次のページである３ページ目の画像へと書き換えられた後には、所定の時間が経過することで画像書き換え対象が第１表示部から第２表示部へと変更される。よって、所定の時間が経過した後に、再びユーザがページ送りの画像書き換え操作を入力したとすると、今度は第２表示部に表示されていた２ページ目の画像が、第１表示部に表示されている３ページ目の画像の次のページである４ページ目の画像へと書き換えられる。
【００１５】
上述した書き換え動作によれば、第１表示部及び第２表示部において表示されている画像のうち、書き換えるべき一方の画像を適切に書き換えることができる。よって、例えば複数ページの画像を含んでなる表示データを用いる場合に、好適にページめくりを行うことが可能となる。より具体的には、例えば楽器の演奏に用いる楽譜を表示する場合には、演奏中のページではなく、既に演奏を終えたページを、演奏中のページの次のページへと書き換えることができる。よって、演奏中のページが書き換えられることによる演奏者への不都合を回避することができる。
【００１６】
また、本発明では特に、所定の条件を満たした場合に、書き換え対象が変更されるため、比較的簡単な操作でページめくりを行うことができる。例えば、反復記号を多く含んだ楽譜等を用いて演奏を行う場合には、複数のページ間を何度も前後して演奏することが求められるが、上述した本発明に係る書き換え動作によれば、簡単な操作で適切なページめくりを行うことができる。特に、両手を使うような楽器を演奏する場合には、フットペダル等、比較的簡単な操作しか行えない入力手段を用いることになるため、上述した効果は顕著に発揮される。
【００１７】
以上説明したように、本発明に係る表示装置によれば、表示画像のページめくりを好適に行うことが可能である。
【００１８】
本発明に係る表示装置の一態様では、前記変更手段は、前記入力手段における入力から所定の時間が経過した場合に、前記書き換え対象を前記第１表示部及び前記第２表示部の他方へと変更するように前記認識手段を制御する。
【００１９】
この態様によれば、入力手段における入力から所定の時間が経過すると、書き換え対象が自動的に他方の表示部へと変更される。このようにすれば、書き換え対象を変更するために、ユーザが特別な操作を行う必要がないため、より好適に画像の書き換えを行なうことができる。
【００２０】
また、所定の時間が経過するまでは書き換え対象が変更されないため、例えば所定の時間内に入力手段による書き換え操作の入力を連続して行う（例えば、入力手段のスイッチを連打する操作を行う）ことによって、一方の表示部の画像のみを連続して変更することも可能となる。
【００２１】
本発明に係る表示装置の他の態様では、前記入力手段は、前記書き換え対象を変更するための書き換え対象変更操作を前記制御手段へ入力可能であり、前記変更手段は、前記入力手段において前記書き換え対象変更操作が入力された場合に、前記書き換え対象を前記第１表示部及び前記第２表示部の他方へと変更するように前記認識手段を制御する。
【００２２】
この態様によれば、ユーザは、入力手段を用いることで、上述した画像書き換え操作に加えて、書き換え対象を変更するための書き換え対象変更操作を入力可能とされている。例えば入力手段には、画像書き換え操作を行うスイッチとは別に、書き換え対象変更操作を行うためのスイッチが設けられている。
【００２３】
入力手段によって書き換え対象変更操作が入力されると、変更手段によって、書き換え対象が他方の表示部へと変更される。即ち、それまで第１表示部が書き換え対象として認識されている場合には、書き換え対象変更操作によって、第２表示部が書き換え対象として認識される。逆に、それまで第２表示部が書き換え対象として認識されている場合には、書き換え対象変更操作によって、第１表示部が書き換え対象として認識される。
【００２４】
上述した書き換え対象変更操作によれば、ユーザが書き換え対象を任意に変更することができるため、より好適にページめくりを行うことが可能となる。
【００２５】
上述した書き換え対象変更操作を入力可能な態様では、前記入力手段は、前記書き換え対象として認識された一方の表示部の画像を、次ページの画像へと書き換える前記画像書き換え操作を入力するための第１スイッチと、前記書き換え対象として認識された一方の表示部の画像を、前ページの画像へと書き換える前記画像書き換え操作を入力するための第２スイッチと、前記書き換え対象変更操作を入力するための第３スイッチとを有するようにしてもよい。
【００２６】
この場合、ユーザは、入力手段の第１スイッチ及び第２スイッチ操作することで、ページ送り及びページ戻しといった基本的なページめくり動作を行うことができる。また、ユーザは、第３スイッチを操作することで、書き換え対象となる表示部を適宜変更することができる。従って、ユーザは、比較的簡単な構成を有する入力手段によって、好適にページめくり動作を行うことができる。入力手段の構成を簡単なものにできれば、例えばフットスイッチ等の手を用いずに操作を行う装置で、操作性のよい入力手段を実現することが容易となる。
【００２７】
本発明に係る表示装置の他の態様では、前記入力手段は、前記書き換え対象として認識された一方の表示部の画像を、所定ページの画像へと書き換える前記画像書き換え操作を入力するための第４スイッチを有する。
【００２８】
この態様によれば、ユーザは、第４スイッチを操作することで、所定ページの画像を速やかに参照することが可能である。なお、所定ページとしては、例えば先頭ページや、最後のページ、或いはユーザが設定したページ（例えば、楽譜データにおけるセーニョやコーダ等の反復記号を含むページ）が例として挙げられる。本態様によれば、複数回の操作を行わずとも、極めて簡単な操作で目的のページを参照することが可能となる。
【００２９】
本発明に係る表示装置の他の態様では、前記入力手段は、前記画像書き換え操作及び前記書き換え対象変更操作の少なくとも一方について、操作が入力される直前の状態へと戻す取り消し操作を入力可能である。
【００３０】
この態様によれば、ユーザは、入力手段を用いることで、上述した画像書き換え操作（及び書き換え対象変更操作）に加えて、装置の状態を前回の操作が入力される直前の状態へと戻す取り消し操作を入力可能とされている。例えば入力手段には、画像書き換え操作を行うスイッチとは別に、取り消し操作を行うためのスイッチが設けられている。
【００３１】
例えば、画像書き換え操作によって表示部の画像書き換えが行われた後に、入力手段によって取り消し操作が入力されると、表示部の画像が書き換え前の画像へと戻される。或いは、画像書き換え操作による表示部の画像書き換え、及び書き換え対象変更操作による書き換え対象の変更が行われた後に、入力手段によって取り消し操作が入力されると、表示部の画像が書き換え前の画像へと戻されると共に、書き換え対象が元の表示部へと変更される。なお、画像書き換え操作及び書き換え対象変更操作の両方が行われた後の取り消し操作は、画像書き換え操作及び書き換え対象変更操作のいずれか一方のみを取り消すような操作であってもよい。
【００３２】
本態様では、取り消し操作を行なうことによって、装置を前回の操作直前の状態へと戻すことが可能となるため、操作ミスや予期せぬ動作等に起因する不具合を取り消すことができる。
【００３３】
本発明に係る表示装置の他の態様では、前記制御手段は、前記書き換え対象が一方の表示部から他方の表示部へと変更された際に、前記一方の表示部における表示を更新する更新手段を備える。
【００３４】
この態様によれば、書き換え対象が変更されたタイミングで、書き換え対象の変更元（即ち、書き換え対象が変更される前に書き換え対象であった表示部）の表示が更新される。なお、ここでの「更新」とは、画像を表示する動作を再び実行するという意味であり、典型的には電気泳動表示装置等において行われるリフレッシュ動作（例えば、全白画像や全黒画像を表示した後に表示すべき画像を表示させる動作）が相当する。
【００３５】
上述した更新動作によれば、書き換え対象ではなくなった表示部（言い換えれば、書き換えを終了し画像を確定すべき表示部）における画像のノイズや残像を消去し、確定画像としてより高品質な画像を表示させることが可能となる。言い換えれば、書き換え対象であるうちには、更新動作が行われない分、比較的速く画像の書き換えが行える。
【００３６】
本発明に係る表示装置の他の態様では、前記第１表示部及び前記第２表示部において表示可能な複数ページの画像データを記憶する記憶手段を備える。
【００３７】
この態様によれば、画像書き換えの際には、書換手段によって、記憶手段に記憶された画像データから表示すべきページに対応するデータが抽出され書き換えが行われる。よって、ページめくり動作をより確実に実行することが可能となる。
【００３８】
本発明に係る表示装置の他の態様では、前記入力手段は、フットスイッチである。
【００３９】
この態様によれば、ユーザは手を用いずに各種操作を実行できる。従って、例えば楽器の演奏中等、両手がふさがっている状況においても、好適にページめくりを行うことができる。
【００４０】
本発明に係る表示装置の他の態様では、前記第１表示部及び第２表示部は、それぞれ楽譜を表示する。
【００４１】
この態様によれば、第１表示部及び第２表示部の２画面において楽譜を表示し、上述したような画像書き換えによって楽譜のページめくりを行うことができる。従って、例えば楽器を演奏中の演奏者でも、比較的簡単な操作で好適にページめくりを行うことができる。
【００４２】
本発明に係る表示装置の制御方法は上記課題を解決するために、画像を表示する第１表示部及び第２表示部と、前記第１表示部及び前記第２表示部における画像の表示を制御する制御手段と、ユーザによる画像書き換え操作を前記制御手段へ入力可能な入力手段とを備える表示装置の制御方法であって、前記第１表示部及び前記第２表示部のいずれか一方を書き換え対象として認識する認識工程と、前記書き換え対象として認識されているのが、前記第１表示部及び前記第２表示部のいずれであるかを前記ユーザに通知する通知工程と、前記入力手段によって前記画像書き換え操作が入力された場合に、前記書き換え対象として認識された一方の表示部の画像を、前記画像書き換え操作に応じて書き換える書換工程と、所定の条件を満たした場合に、前記書き換え対象を前記第１表示部及び前記第２表示部の他方へと変更する変更工程とを含む。
【００４３】
本発明に係る表示装置の制御方法によれば、前述した本発明に係る表示装置と同様に、第１表示部及び第２表示部のいずれか一方を書き換え対象として、適宜画像の書き換え操作を実行することができる。この結果、表示画像のページめくりを好適に行うことが可能となる。
【００４４】
なお、本発明に係る表示装置の制御方法においても、前述した本発明に係る表示装置における各種態様と同様の各種態様を採ることが可能である。
【００４５】
本発明の作用及び他の利得は次に説明する発明を実施するための形態から明らかにされる。
【図面の簡単な説明】
【００４６】
【図１】実施形態に係る表示装置の全体構成を示す概略構成図である。
【図２】実施形態に係る表示部の構成を示すブロック図である。
【図３】実施形態に係る画素の電気的な構成を示す等価回路図である。
【図４】実施形態に係る表示部の部分断面図である。
【図５】実施形態に係る制御部の構成を示すブロック図である。
【図６】楽譜の一例を示す概念図（その１）である。
【図７】実施形態に係る表示装置によるページめくり動作を示す概念図（その１）である。
【図８】実施形態に係る表示装置によるページめくり動作を示す概念図（その２）である。
【図９】実施形態に係る表示装置の動作を示すフローチャート（その１）である。
【図１０】実施形態に係る表示装置の動作を示すフローチャート（その２）である。
【図１１】実施形態に係る表示装置の動作を示すフローチャート（その３）である。
【図１２】実施形態に係る表示装置の具体的な動作を、順を追って示す概念図（その１）である。
【図１３】実施形態に係る表示装置の具体的な動作を、順を追って示す概念図（その２）である。
【図１４】実施形態に係る表示装置の具体的な動作を、順を追って示す概念図（その３）である。
【図１５】実施形態に係る表示装置の具体的な動作を、順を追って示す概念図（その４）である。
【図１６】実施形態に係る表示装置の具体的な動作を、順を追って示す概念図（その５）である。
【図１７】実施形態に係る表示装置の具体的な動作を、順を追って示す概念図（その６）である。
【図１８】実施形態に係る表示装置の具体的な動作を、順を追って示す概念図（その７）である。
【図１９】実施形態に係る表示装置の具体的な動作を、順を追って示す概念図（その８）である。
【図２０】実施形態に係る表示装置の具体的な動作を、順を追って示す概念図（その９）である。
【図２１】楽譜の一例を示す概念図（その２）である。
【図２２】書き換え対象変更スイッチを使用すべき状況について説明する概念図である。
【発明を実施するための形態】
【００４７】
以下では、本発明の実施形態について図を参照しつつ説明する。なお、以下の実施形態では、本発明に係る表示装置の一例として楽譜表示装置を挙げて説明する。
【００４８】
＜装置構成＞
先ず、本実施形態に係る表示装置の全体構成ついて、図１を参照して説明する。
【００４９】
図１は、本実施形態に係る表示装置の全体構成を示す概略構成図である。
【００５０】
図１において、本実施形態に係る表示装置１は、主に表示部１００と、入力部２００とを備えて構成されている。
【００５１】
表示部１００は、電気泳動素子を制御して画像を表示する電気泳動表示装置として構成されており、左画面１１０と、右画面１２０とを有している。なお、左画面１１０及び右画面１２０は、互いに独立した別個の表示装置であってもよいし、１つの表示面の領域を分割して２画面として駆動するような表示装置であってもよい。左画面１１０及び右画面１２０は、それぞれ本発明の「第１表示部」及び「第２表示部」の一例である。
【００５２】
入力部２００は、本発明の「入力手段」の一例であり、表示装置１のユーザが装置を操作するための入力デバイスである。入力部２００は、例えば図に示すようにフットスイッチとして構成される。ただし、入力部２００の形態はフットスイッチに限定されるものではない。入力部２００は、戻るスイッチ２１０、進むスイッチ２２０及び書き換え対象変更スイッチ２３０の３つのスイッチを有している。なお、戻るスイッチ２１０、進むスイッチ２２０及び書き換え対象変更スイッチ２３０は、それぞれ本発明の「第１スイッチ」、「第２スイッチ」、「第３スイッチ」の一例である。各スイッチに割り当てられた機能については後に詳述する。
【００５３】
次に、本実施形態に係る表示装置の表示部の具体的な構成について、図２から図４を参照して説明する。
【００５４】
図２は、本実施形態に係る表示部の構成を示すブロック図である。
【００５５】
図２において、本実施形態に係る表示部１００は、アクティブマトリクス駆動方式の電気泳動表示装置であり、右画面１１０及び左画面１２０と、コントローラー１０と、走査線駆動回路６０と、データ線駆動回路７０と、共通電位供給回路２５０とを備えている。
【００５６】
右画面１１０及び左画面１２０には、ｍ行×ｎ列分の画素２０がマトリクス状（二次元平面的）に配列されている。また、右画面１１０及び左画面１２０には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００５７】
コントローラー１０は、走査線駆動回路６０、データ線駆動回路７０及び共通電位供給回路２５０の動作を制御する。コントローラー１０は、例えば、クロック信号、スタートパルス等のタイミング信号を各回路に供給する。
【００５８】
走査線駆動回路６０は、コントローラー１０による制御下で、所定のフレーム期間中に、走査線Ｙ１、Ｙ２、…、Ｙｍの各々に走査信号をパルス的に順次供給する。
【００５９】
データ線駆動回路７０は、コントローラー１０による制御下で、データ線Ｘ１、Ｘ２、…、Ｘｎにデータ電位を供給する。データ電位は、基準電位ＧＮＤ（例えば０ボルト）、高電位ＶＨ（例えば＋１５ボルト）又は低電位ＶＬ（例えば−１５ボルト）のいずれかの電位をとる。なお、後述するように、本実施形態では、前述した部分書き換え駆動が採用されている。
【００６０】
共通電位供給回路２５０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。例えば、共通電位Ｖｃｏｍが、フィードスルーによる画素電極２１の電位の変動を考慮して、画素電極２１に供給される基準電位ＧＮＤとは異なる値とされていてもよく、この場合であっても、本明細書では、共通電位Ｖｃｏｍと基準電位ＧＮＤとが同一であるとみなす。ここで、フィードスルーとは、走査線４０に走査信号が供給され、データ線５０を介して画素電極２１に電位が供給された後に、走査線４０への走査信号の供給が終了した際（例えば走査線４０の電位が低下した際）、画素電極２１の電位が、走査線４０との間の寄生容量に起因して変動する（例えば走査線４０の電位低下とともに低下する）現象をいう。共通電位Ｖｃｏｍは、フィードスルーにより画素電極２１の電位が低下することを予め想定して、画素電極２１に供給される基準電位ＧＮＤより僅かに低い値とされることがあるが、この場合も共通電位Ｖｃｏｍと基準電位ＧＮＤとが同電位であるとみなす。
【００６１】
なお、コントローラー１０、走査線駆動回路６０、データ線駆動回路７０及び共通電位供給回路２５０には、各種の信号が入出力されるが、本実施形態と特に関係のないものについては説明を省略する。
【００６２】
図３は、本実施形態に係る画素の電気的な構成を示す等価回路図である。
【００６３】
図３において、画素２０は、画素スイッチング用トランジスター２４と、画素電極２１と、対向電極２２と、電気泳動素子２３と、保持容量２７とを備えている。
【００６４】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図２参照）からデータ線５０を介して供給されるデータ電位を、走査線駆動回路６０（図２参照）から走査線４０を介してパルス的に供給される走査信号に応じたタイミングで、画素電極２１及び保持容量２７に出力する。
【００６５】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００６６】
対向電極２２は、共通電位Ｖｃｏｍが供給される共通電位線９３に電気的に接続されている。
【００６７】
電気泳動素子２３は、電気泳動粒子をそれぞれ含んでなる複数のマイクロカプセルから構成されている。
【００６８】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００６９】
図４は、本実施形態に係る表示部の部分断面図である。
【００７０】
図４において、表示部１００は、素子基板２８と対向基板２９との間に電気泳動素子２３が挟持される構成となっている。なお、本実施形態では、対向基板２９側に画像を表示することを前提として説明する。
【００７１】
素子基板２８は、例えばガラスやプラスチック等からなる基板である。素子基板２８上には、ここでは図示を省略するが、図３を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００７２】
対向基板２９は、例えばガラスやプラスチック等からなる透明な基板である。対向基板２９における素子基板２８との対向面上には、対向電極２２が複数の画素電極９ａと対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００７３】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、本実施形態に係る表示部１００は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００７４】
マイクロカプセル８０は、画素電極２１及び対向電極２２間に挟持され、１つの画素２０内に（言い換えれば、１つの画素電極２１に対して）１つ又は複数配置されている。
【００７５】
マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００７６】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００７７】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００７８】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００７９】
黒色粒子８３は、例えば、アニリンブラック、カーボンブラック等の黒色顔料からなる粒子（高分子或いはコロイド）であり、例えば正に帯電されている。
【００８０】
このため、白色粒子８２及び黒色粒子８３は、画素電極２１と対向電極２２との間の電位差によって発生する電場によって、分散媒８１中を移動することができる。
【００８１】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００８２】
図４において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部１００の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部１００の表示面にはこの黒色粒子８３の色（即ち、黒色）が表示されることとなる。
【００８３】
なお、白色粒子８２、黒色粒子８３に用いる顔料を、例えば赤色、緑色、青色等の顔料に代えることによって、赤色、緑色、青色等を表示することができる。
【００８４】
次に、上述した表示部１００の動作を制御する制御部の構成について、図５を参照して説明する。
【００８５】
図５は、本実施形態に係る制御部の構成を示すブロック図である。
【００８６】
図５において、制御部３００は、本発明の「制御手段」の一例であり、書き換え対象認識部３１０と、書き換え対象変更部３２０と、書き換え対象通知部３３０と、書き換え部３４０とを備えている。なお、制御部３００は、表示部１００におけるコントローラー１０（図２参照）の一部として構成されてもよいし、他の回路として構成されてもよい。
【００８７】
書き換え対象認識部３１０は、本発明の「認識手段」の一例であり、表示部１００の左画面１１０及び右画面１２０のうち、いずれか一方の表示面を書き換え対象として認識する。言い換えれば、画像を書き換えるべき表示面を決定する。
【００８８】
書き換え対象変更部３２０は、本発明の「変更手段」の一例であり、所定条件を満たした場合に、書き換え対象認識部３１０によって認識される書き換え対象を変更する。所定条件としては、例えば所定時間の経過やユーザによる操作等が挙げられる。
【００８９】
書き換え対象通知部３３０は、本発明の「通知手段」の一例であり、書き換え対象と認識されているのが、表示部１００の左画面１１０及び右画面１２０のいずれであるかをユーザに通知する。書き換え対象通知部３３０の通知方法は特に限定されないが、本実施形態では、左画面１１０及び右画面１２０のいずれか一方に書き換え対象アイコンを表示することで通知を行なうものとする。
【００９０】
書き換え部３４０は、本発明の「書換手段」の一例であり、ユーザによる画像書き換え操作に応じて、書き換え対象となっている表示面の画像を書き換える。
【００９１】
＜制御方法＞
次に、本実施形態に係る表示装置の制御方法について、図６から図２２を参照して説明する。
【００９２】
図６は、楽譜の一例を示す概念図（その１）である。
【００９３】
図６において、本実施形態に係る表示装置１で表示する楽譜データは、図に示すように９ページの楽譜を含んでいる。なお、各ページの中央に大きく示されている数字は、ページの順番を示すものである。また、各ページの左下部分に記載されている記号は、それぞれのページに含まれている演奏記号を示すものである。具体的には、１ページ目には反復記号（開始位置）が含まれている。２ページ目にはダル・セーニョが含まれている。３ページ目にはトゥ・コーダが含まれている。４ページ目には１カッコが含まれている。７ページ目には反復記号（終了位置）及び２カッコが含まれている。８ページ目にはダル・セーニョが含まれている。９ページ目にはコーダが含まれている。
【００９４】
図７及び図８は、それぞれ本実施形態に係る表示装置によるページめくり動作を示す概念図である。
【００９５】
図７において、本実施形態に係る表示装置１の動作時には、まず初期表示として、最初の１ページ目が左画面１１０に表示され、続く２ページ目が右画面１２０に表示される。また、初期表示状態での書き換え対象は、左画面１１０に設定される。このため、左画面１１０には、書き換え対象アイコン５００が表示されている。初期表示状態で、ユーザが入力部２００の進むスイッチ２２０を押すと、左画面１１０の表示が、１ページ目から右画面１２０に表示されている２ページ目の次のページである３ページ目へと書き換えられる。
【００９６】
図８に示すように、初期表示状態で書き換え対象となっていない右画面１２０の画像を書き換えることも可能である。この場合、ユーザは、まず入力部２００の書き換え対象変更スイッチ２３０を押す。これにより、書き換え対象が左画面１１０から右画面１２０へと変更される。よって、書き換え対象アイコン５００は右画面に表示される。続いて、ユーザは入力部２００の進むスイッチ２２０を押す。このように操作すれば、右画面１２０の表示が２ページ目から３ページ目へと書き換えられる。
【００９７】
上述したように、入力部２００の進むスイッチ２２０を押すと、書き換え対象とされている表示面に表示されている画像の次のページの画像が表示される。また、ここでは説明を省略しているが、入力部２００の戻るスイッチ２１０を押すと、進むスイッチ２２０の場合とは逆に、書き換え対象とされている表示面に表示されている画像の前のページの画像が表示される。更に、入力部２００の書き換え対象変更スイッチ２３０を押すと、書き換え対象とされている表示面が他の表示面へと変更される。なお、進むスイッチ２１０及び戻るスイッチ２２０は、それぞれ長押しすることで連続してページめくりが行えるように構成されていてもよい。
【００９８】
なお、入力部２００には、上述した戻るスイッチ２１０、進むスイッチ２２０及び書き換え対象変更スイッチ２３０以外のスイッチが設けられていてもよい。例えば、入力部２００には、所定のページへとジャンプするページジャンプスイッチや、直前の操作を取り消して表示状態を元に戻す取り消しスイッチ等が設けられていてもよい。
【００９９】
次に、本実施形態に係る表示装置における画像書き換え時の処理について、図９から図１１を参照して説明する。
【０１００】
図９は、本実施形態に係る表示装置の動作を示すフローチャート（その１）である。
【０１０１】
図９において、本実施形態に係る表示装置の動作時に、ユーザによって入力部２００の進むスイッチ２２０が押されると、まず書き換え対象として認識されているのが右画面１２０であるか否かが判定される（ステップＳ１０１）。ここで、書き換え対象が右画面１２０である場合には（ステップＳ１０１：ＹＥＳ）、ステップＳ１０２以降の処理へと進む。一方で、書き換え対象が左画面１１０である場合には（ステップＳ１０１：ＮＯ）、後述するステップＳ１０２以降の処理が左右を逆にした形で実行される。
【０１０２】
書き換え対象が右画面１２０である場合、まず“Page Timer Right”がアクティブであるか否かが判定される（ステップＳ１０２）。なお、ここでの“Page Timer Right”とは、右画面に対応するタイマーであり、右画面１２０が書き換え対象となった状態での前回の操作入力からの経過時間を計測するために用いられる。具体的には、前回の操作から“Page Timer Right”に対応する時間が経過している場合は、“Page Timer Right”は非アクティブとなり、前回の操作から“Page Timer Right”に対応する時間が経過していない場合は、“Page Timer Right”はアクティブとなる。なお、左画面１１０に対応する操作については、同様に“Page Timer Left”が設定される。
【０１０３】
ここで、“Page Timer Right”がアクティブと判定されると（ステップＳ１０２：ＹＥＳ）、“Page Index Right”がインクリメントされる（ステップＳ１０３）。なお、ここでの“Page Index Right”は、右画面１２０に表示すべき画像のページ番号を示す値であり、左画面１１０に表示すべき画像のページ番号を示す値としても、同様に“Page Index Left”が定義されている。“Page Index Right”がインクリメントされることにより、右画面１２０は、現在表示しているページの次のページを表示すべき状態となる。
【０１０４】
一方で、“Page Timer Right”がアクティブでないと判定されると（ステップＳ１０２：ＮＯ）、“Page Index Right”の値が“Page Index Left”の値＋１に等しいか否かが判定される（ステップＳ１０４）。ここで、“Page Index Right”の値が“Page Index Left”の値＋１に等しい場合には（ステップＳ１０４：ＹＥＳ）、“Page Timer Right”がアクティブである場合と同様に、“Page Index Right”がインクリメントされる（ステップＳ１０５）。即ち、右画面１２０は、現在表示しているページの次のページを表示すべき状態となる。他方で、“Page Index Right”の値が“Page Index Left”の値＋１と等しくない場合には（ステップＳ１０４：ＮＯ）、“Page Index Right”の値が“Page Index Left”の値＋１と等しくされる（ステップＳ１０６）。これにより、右画面１２０は、左画面１１０で現在表示しているページの次のページを表示すべき状態となる。
【０１０５】
上述したように“Page Index Right”の値が状況に応じて変更されると、変更後の“Page Index Right”が、アンダーフロー又はオーバーフローしていないかが判定される（ステップＳ１０７）。ここで、変更後の“Page Index Right”が、アンダーフロー又はオーバーフローしていない場合（ステップＳ１０７：ＹＥＳ）、右画面１２０の画像が“Page Index Right”に対応するページの画像へと書き換えられる（ステップＳ１０９）。なお、変更後の“Page Index Right”が、アンダーフロー又はオーバーフローしている場合（ステップＳ１０７：ＮＯ）、“Page Index Right”の値が、最初のページ又は最後のページに対応する値とされた後（ステップＳ１０８）、右画面１２０の画像が“Page Index Right”に対応するページの画像へと書き換えられる。
【０１０６】
画像が書き換えられると、“Page Timer Right”が新たに設定され（ステップＳ１１０）、進むスイッチ２２０を押すことによって開始される一連の処理は終了する。
【０１０７】
なお、戻るスイッチ２１０が押された場合については、進むスイッチ２２０が押された場合とページ順が逆である同様の操作が行なわれるだけであるので、ここでは説明を省略する。
【０１０８】
図１０は、本実施形態に係る表示装置の動作を示すフローチャート（その２）である。
【０１０９】
図１０において、“Page Timer Right”が満了すると、書き換え対象が右画面１２０から左画面１１０へと変更される（ステップＳ２０１）。また、書き換え対象の変更に伴い、書き換え対象アイコン５００の表示位置も、右画面１２０から左画面１１０へと変更される（ステップＳ２０２）。
【０１１０】
また本実施形態では特に、時間の経過によって書き換え対象が変更されると、書き換え対象変更前の表示面（即ち、ここでは右画面１１０）の表示がクリーンアップされる（ステップＳ２０３）。具体的には、例えば全白画像又は全黒画像が表示された後に、再び表示すべき画像への書き換えが行なわれる。上述したクリーンアップ動作によれば、書き換え対象ではなくなった画面（言い換えれば、書き換えを終了し画像を確定すべき表示面）における画像のノイズや残像を消去し、確定画像としてより高品質な画像を表示させることが可能となる。言い換えれば、書き換え対象であるうちには、クリーンアップ動作が行われない分、比較的速く画像の書き換えが行える。
【０１１１】
以上のように、本実施形態では、所定時間の経過によって、書き換え対象の変更が行なわれる。なお、ここでは“Page Timer Right”についてのみ説明したが、“Page Index Left”が満了した場合にも、左右を逆にして同様の処理が行なわれる。
【０１１２】
図１１は、実施形態に係る表示装置の動作を示すフローチャート（その３）である。
【０１１３】
図１１において、本実施形態に係る表示装置の動作時に、ユーザによって入力部２００の書き換え対象変更スイッチ２３０が押されると、まず書き換え対象として認識されているのが右画面１２０であるか否かが判定される（ステップＳ３０１）。ここで、書き換え対象が右画面１２０である場合（ステップＳ３０１：ＹＥＳ）、書き換え対象が右画面１２０から左画面１１０へと変更される（ステップＳ３０２）。また、書き換え対象の変更に伴い、書き換え対象アイコン５００の表示位置も、右画面１２０から左画面１１０へと変更される（ステップＳ３０３）。他方で、書き換え対象が左画面１１０である場合（ステップＳ３０１：ＮＯ）、書き換え対象が左画面１１０から右画面１２０へと変更される（ステップＳ３０４）。また、書き換え対象の変更に伴い、書き換え対象アイコン５００の表示位置も、左画面１１０から右画面１２０へと変更される（ステップＳ３０５）。
【０１１４】
なお、書き換え対象変更スイッチ２３０による書き換え対象の変更時には、既に書き換え対象変更前の表示面における表示画像は確定しているため、上述した時間経過による書き換え対象の変更の場合とは異なり、クリーンナップ動作は行なわれない。
【０１１５】
次に、本実施形態に係る表示装置のより具体的な動作を、図１２から図２０を参照して説明する。ここでは、図６で示した楽譜データを用いて、実際の演奏順に沿って説明する。
【０１１６】
図１２から図２０は、それぞれ本実施形態に係る表示装置の具体的な動作を、順を追って示す概念図である。
【０１１７】
図１２において、本実施形態に係る表示装置１では、上述したように、初期表示状態として１ページ目の楽譜が左画面１１０に表示され、２ページ目の楽譜が右画面１２０に表示される。楽譜を参照しながら演奏を行うユーザは、１ページ目の楽譜を演奏し終わり、２ページ目の楽譜の演奏を開始した時点で、入力部２００における進むスイッチ２２０を押す。すると、図に示すように、左画面１１０に表示されていた１ページ目の楽譜が３ページ目の楽譜へと書き換えられる。ユーザが進むスイッチ２２０を押した後、２秒間経過すると、時間経過による書き換え対象の変更が行われる。これにより、左画面１１０に表示されていた書き換え対象アイコンは、右画面１２０へと移る。また、書き換え対象の変更に伴い、左画面１１０のクリーンアップ動作が行われる。これにより、左画面１１０に表示された３ページ目の楽譜の画像が確定する。
【０１１８】
続いてユーザは、２ページ目の楽譜を演奏し終わり、３ページ目の楽譜の演奏を開始した時点で、入力部２００における進むスイッチ２２０を押す。すると、図に示すように、右画面１２０に表示されていた２ページ目の楽譜が４ページ目の楽譜へと書き換えられる。ユーザが進むスイッチ２２０を押した後、２秒間経過すると、時間経過による書き換え対象の変更が行われる。これにより、右画面１２０に表示されていた書き換え対象アイコンは、左画面１１０へと移る。また、書き換え対象の変更に伴い、右画面１２０のクリーンアップ動作が行われる。これにより、右画面１２０に表示された４ページ目の楽譜の画像が確定する。
【０１１９】
図１３において、ユーザは、３ページ目の楽譜を演奏し終わり、４ページ目の楽譜の演奏を開始した時点で、入力部２００における進むスイッチ２２０を押す。すると、図に示すように、左画面１１０に表示されていた３ページ目の楽譜が５ページ目の楽譜へと書き換えられる。ユーザが進むスイッチ２２０を押した後、２秒間経過すると、時間経過による書き換え対象の変更が行われる。これにより、左画面１１０に表示されていた書き換え対象アイコンは、右画面１２０へと移る。また、書き換え対象の変更に伴い、左画面１１０のクリーンアップ動作が行われる。これにより、左画面１１０に表示された５ページ目の楽譜の画像が確定する。
【０１２０】
続いてユーザは、４ページ目の楽譜を演奏し終わり、５ページ目の楽譜の演奏を開始した時点で、入力部２００における進むスイッチ２２０を押す。すると、図に示すように、右画面１２０に表示されていた４ページ目の楽譜が６ページ目の楽譜へと書き換えられる。ユーザが進むスイッチ２２０を押した後、２秒間経過すると、時間経過による書き換え対象の変更が行われる。これにより、右画面１２０に表示されていた書き換え対象アイコンは、左画面１１０へと移る。また、書き換え対象の変更に伴い、右画面１２０のクリーンアップ動作が行われる。これにより、右画面１２０に表示された６ページ目の楽譜の画像が確定する。
【０１２１】
図１４において、ユーザは、５ページ目の楽譜を演奏し終わり、６ページ目の楽譜の演奏を開始した時点で、入力部２００における進むスイッチ２２０を押す。すると、図に示すように、左画面１１０に表示されていた５ページ目の楽譜が７ページ目の楽譜へと書き換えられる。ユーザが進むスイッチ２２０を押した後、２秒間経過すると、時間経過による書き換え対象の変更が行われる。これにより、左画面１１０に表示されていた書き換え対象アイコンは、右画面１２０へと移る。また、書き換え対象の変更に伴い、左画面１１０のクリーンアップ動作が行われる。これにより、左画面１１０に表示された７ページ目の楽譜の画像が確定する。
【０１２２】
続いてユーザは、６ページ目の楽譜を演奏し終わり、７ページ目の楽譜の演奏を開始する。ここで、７ページ目の楽譜には反復記号（終了位置）が含まれているため、次に演奏する楽譜は反復記号（開始位置）が含まれる１ページ目の楽譜となる。よってユーザは、右画面１２０に表示されている６ページ目の楽譜を１ページ目の楽譜へ戻す操作を行う。具体的には、ユーザは、入力部２００における戻るスイッチ２１０を、所定時間（即ち、２秒）が経過しないうちに連続して押す。このようにすれば、書き換え対象が右画面１２０のまま変更されないので、右画面１２０に表示される楽譜が、戻るスイッチ２１０を押す度に１ページずつ戻る。
【０１２３】
図１５において、ユーザは、右画面１２０に表示される楽譜が次に演奏すべき１ページ目の楽譜となると、戻るスイッチ２１０を押すのを止める。ユーザが戻るスイッチ２１０を押すのを止めた後、２秒間経過すると、時間経過による書き換え対象の変更が行われる。これにより、右画面１２０に表示されていた書き換え対象アイコンは、左画面１１０へと移る。また、書き換え対象の変更に伴い、右画面１２０のクリーンアップ動作が行われる。これにより、右画面１２０に表示された１ページ目の楽譜の画像が確定する。
【０１２４】
続いてユーザは、７ページ目の楽譜の反復記号（終了位置）までを演奏し終わり、１ページ目の楽譜の反復記号（開始位置）から演奏を開始した時点で、入力部２００における進むスイッチ２２０を押す。すると、図に示すように、左画面１１０に表示されていた７ページ目の楽譜が２ページ目の楽譜へと書き換えられる。ユーザが進むスイッチ２２０を押した後、２秒間経過すると、時間経過による書き換え対象の変更が行われる。これにより、左画面１１０に表示されていた書き換え対象アイコンは、右画面１２０へと移る。また、書き換え対象の変更に伴い、左画面１１０のクリーンアップ動作が行われる。これにより、左画面１１０に表示された２ページ目の楽譜の画像が確定する。
【０１２５】
図１６において、ユーザは、１ページ目の楽譜を演奏し終わり、２ページ目の楽譜の演奏を開始した時点で、入力部２００における進むスイッチ２２０を押す。すると、図に示すように、右画面１２０に表示されていた１ページ目の楽譜が３ページ目の楽譜へと書き換えられる。ユーザが進むスイッチ２２０を押した後、２秒間経過すると、時間経過による書き換え対象の変更が行われる。これにより、右画面１２０に表示されていた書き換え対象アイコンは、左画面１１０へと移る。また、書き換え対象の変更に伴い、右画面１２０のクリーンアップ動作が行われる。これにより、右画面１２０に表示された３ページ目の楽譜の画像が確定する。
【０１２６】
続いてユーザは、２ページ目の楽譜を演奏し終わり、３ページ目の楽譜の演奏を開始した時点で、入力部２００における進むスイッチ２２０を押す。すると、図に示すように、左画面１１０に表示されていた２ページ目の楽譜が４ページ目の楽譜へと書き換えられる。ユーザが進むスイッチ２２０を押した後、２秒間経過すると、時間経過による書き換え対象の変更が行われる。これにより、左画面１１０に表示されていた書き換え対象アイコンは、右画面１２０へと移る。また、書き換え対象の変更に伴い、左画面１１０のクリーンアップ動作が行われる。これにより、左画面１１０に表示された４ページ目の楽譜の画像が確定する。
【０１２７】
図１７において、ユーザは、３ページ目の楽譜を演奏し終わり、４ページ目の楽譜の演奏を開始する。ここで、４ページ目の楽譜には１カッコが含まれているため、次に演奏する楽譜は２カッコが含まれる７ページ目の楽譜となる。よってユーザは、右画面１２０に表示されている３ページ目の楽譜を７ページ目の楽譜へ進める操作を行う。具体的には、ユーザは、入力部２００における進むスイッチ２２０を、所定時間（即ち、２秒）が経過しないうちに連続して押す。このようにすれば、書き換え対象が右画面１２０のまま変更されないので、右画面１２０に表示される楽譜が、進むスイッチ２２０を押す度に１ページずつ進む。
【０１２８】
続いてユーザは、右画面１２０に表示される楽譜が次に演奏すべき７ページ目の楽譜となると、進むスイッチ２２０を押すのを止める。ユーザが進むスイッチ２２０を押すのを止めた後、２秒間経過すると、時間経過による書き換え対象の変更が行われる。これにより、右画面１２０に表示されていた書き換え対象アイコンは、左画面１１０へと移る。また、書き換え対象の変更に伴い、右画面１２０のクリーンアップ動作が行われる。これにより、右画面１２０に表示された７ページ目の楽譜の画像が確定する。
【０１２９】
図１８において、ユーザは、４ページ目の楽譜の１カッコの直前までを演奏し終わり、７ページ目の楽譜の２カッコから演奏を開始した時点で、入力部２００における進むスイッチ２２０を押す。すると、図に示すように、左画面１１０に表示されていた４ページ目の楽譜が８ページ目の楽譜へと書き換えられる。ユーザが進むスイッチ２２０を押した後、２秒間経過すると、時間経過による書き換え対象の変更が行われる。これにより、左画面１１０に表示されていた書き換え対象アイコンは、右画面１２０へと移る。また、書き換え対象の変更に伴い、左画面１１０のクリーンアップ動作が行われる。これにより、左画面１１０に表示された８ページ目の楽譜の画像が確定する。
【０１３０】
続いてユーザは、７ページ目の楽譜を演奏し終わり、８ページ目の楽譜の演奏を開始する。ここで、８ページ目の楽譜にはダル・セーニョが含まれているため、次に演奏する楽譜はセーニョが含まれる２ページ目の楽譜となる。よってユーザは、右画面１２０に表示されている７ページ目の楽譜を２ページ目の楽譜へ戻す操作を行う。具体的には、ユーザは、入力部２００における戻るスイッチ２１０を、所定時間（即ち、２秒）が経過しないうちに連続して押す。このようにすれば、書き換え対象が右画面１２０のまま変更されないので、右画面１２０に表示される楽譜が、戻るスイッチ２１０を押す度に１ページずつ戻る。
【０１３１】
図１９において、ユーザは、右画面１２０に表示される楽譜が次に演奏すべき２ページ目の楽譜となると、戻るスイッチ２１０を押すのを止める。ユーザが戻るスイッチ２１０を押すのを止めた後、２秒間経過すると、時間経過による書き換え対象の変更が行われる。これにより、右画面１２０に表示されていた書き換え対象アイコンは、左画面１１０へと移る。また、書き換え対象の変更に伴い、右画面１２０のクリーンアップ動作が行われる。これにより、右画面１２０に表示された２ページ目の楽譜の画像が確定する。
【０１３２】
続いてユーザは、８ページ目の楽譜のダル・セーニョの直前までを演奏し終わり、２ページ目の楽譜のセーニョから演奏を開始した時点で、入力部２００における進むスイッチ２２０を押す。すると、図に示すように、左画面１１０に表示されていた８ページ目の楽譜が３ページ目の楽譜へと書き換えられる。ユーザが進むスイッチ２２０を押した後、２秒間経過すると、時間経過による書き換え対象の変更が行われる。これにより、左画面１１０に表示されていた書き換え対象アイコンは、右画面１２０へと移る。また、書き換え対象の変更に伴い、左画面１１０のクリーンアップ動作が行われる。これにより、左画面１１０に表示された３ページ目の楽譜の画像が確定する。
【０１３３】
図２０において、ユーザは、２ページ目の楽譜を演奏し終わり、３ページ目の楽譜の演奏を開始する。ここで、３ページ目の楽譜にはトゥ・コーダが含まれているため、次に演奏する楽譜はコーダが含まれる９ページ目の楽譜となる。よってユーザは、右画面１２０に表示されている２ページ目の楽譜を９ページ目の楽譜へ進める操作を行う。具体的には、ユーザは、入力部２００における進むスイッチ２２０を、所定時間（即ち、２秒）が経過しないうちに連続して押す。このようにすれば、書き換え対象が右画面１２０のまま変更されないので、右画面１２０に表示される楽譜が、進むスイッチ２２０を押す度に１ページずつ進む。
【０１３４】
続いてユーザは、右画面１２０に表示される楽譜が次に演奏すべき９ページ目の楽譜となると、進むスイッチ２２０を押すのを止める。ユーザが進むスイッチ２２０を押すのを止めた後、２秒間経過すると、時間経過による書き換え対象の変更が行われる。これにより、右画面１２０に表示されていた書き換え対象アイコンは、左画面１１０へと移る。また、書き換え対象の変更に伴い、右画面１２０のクリーンアップ動作が行われる。これにより、右画面１２０に表示された９ページ目の楽譜の画像が確定する。
【０１３５】
以上のように、ユーザは、１ページ目、２ページ目、３ページ目、４ページ目、５ページ目、６ページ目、７ページ目、１ページ目、１ページ目、２ページ目、３ページ目、４ページ目、７ページ目、８ページ目、２ページ目、３ページ目、９ページ目の順で楽譜を参照して演奏を行う。このように、複数のページを前後しながら演奏する場合であっても、本実施形態に係る表示装置１によれば、簡単な操作で適切なページめくりを行うことができる。従って、ユーザは好適に演奏を行うことができる。
【０１３６】
なお、上述した楽譜では、演奏中に書き換え対象変更スイッチ２３０を使用する機会がなかったが、楽譜の演奏順によっては、書き換え対象変更スイッチ２３０を使用しないと、適切なページめくりが行えなくなる場合が生じ得る。以下では、書き換え対象変更スイッチ２３０の使用例について、図２１及び図２２を参照して説明する。
【０１３７】
図２１は、楽譜の一例を示す概念図（その２）である。
【０１３８】
図２１において、以下では図中の４ページの楽譜を含む楽譜データを表示する場合について考える。なお、楽譜の１ページ目には反復記号（開始位置）が含まれている。２ページ目には１カッコ及び反復記号（終了位置）が含まれている。３ページ目には２カッコ及び反復記号（終了位置）が含まれている。４ページ目には３カッコが含まれている。このような４ページの楽譜を演奏する場合、演奏順は、１ページ目、２ページ目、１ページ目、３ページ目、１ページ目、４ページ目となる。
【０１３９】
図２２は、書き換え対象変更スイッチを使用すべき状況について説明する概念図である。
【０１４０】
図２２において、図２１に示した４ページの楽譜を参照しながら演奏をする場合、ユーザは、左画面１１０に表示された１ページ目の楽譜を演奏し終わると、右画面１２０に表示された２ページ目の楽譜の演奏を開始する。ここで、２ページ目には反復記号（終了位置）が含まれているため、次に演奏すべき楽譜は再び１ページ目となる。よってユーザは、２ページ目の反復記号（終了位置）まで演奏を行うと、ページめくり動作を行うことなく、１ページ目の反復記号（開始位置）から演奏を開始する。
【０１４１】
１ページ目に戻り演奏を開始したユーザは、２ページ目には１カッコが含まれており、対応する２カッコが３ページに含まれているため、１ページ目の次に３ページ目を参照しようとする。しかしながら、書き換え対象は左画面１１０となっているため、仮にここで進むスイッチ２２０を押してしまうと、演奏中の１ページ目の楽譜が書き換えられてしまう。よってユーザは、書き換え対象変更スイッチ２３０を押して、書き換え対象を左画面１１０から右画面１２０へと変更する。
【０１４２】
書き換え対象が変更されると、ユーザは、続いて進むスイッチ２２０を押す。すると、図に示すように、右画面１２０に表示されていた２ページ目の楽譜が３ページ目の楽譜へと書き換えられる。ユーザが進むスイッチ２２０を押した後、２秒間経過すると、時間経過による書き換え対象の変更が行われる。これにより、左画面１１０に表示されていた書き換え対象アイコンは、左画面１１０へと移る。また、書き換え対象の変更に伴い、右画面１２０のクリーンアップ動作が行われる。これにより、右画面１２０に表示された３ページ目の楽譜の画像が確定する。
【０１４３】
続いてユーザは、左画面１１０に表示された１ページ目の楽譜を演奏し終わると、右画面１２０に表示された３ページ目の楽譜の演奏を開始する。ここで、３ページ目には反復記号（終了位置）が含まれているため、次に演奏すべき楽譜は再び１ページ目となる。よってユーザは、３ページ目の反復記号（終了位置）まで演奏を行うと、ページめくり動作を行うことなく、１ページ目の反復記号（開始位置）から演奏を開始する。
【０１４４】
１ページ目に戻り演奏を開始したユーザは、２ページ目には１カッコが、３ページには２カッコが含まれており、対応する３カッコが４ページに含まれているため、１ページ目の次に４ページ目を参照しようとする。しかしながら、書き換え対象は左画面１１０となっているため、仮にここで進むスイッチ２２０を押してしまうと、演奏中の１ページ目の楽譜が書き換えられてしまう。よってユーザは、書き換え対象変更スイッチ２３０を押して、書き換え対象を左画面１１０から右画面１２０へと変更する。
【０１４５】
書き換え対象が変更されると、ユーザは、続いて進むスイッチ２２０を押す。すると、図に示すように、右画面１２０に表示されていた３ページ目の楽譜が４ページ目の楽譜へと書き換えられる。このように、書き換え対象スイッチ２３０を用いれば、戻るスイッチ２１０及び進むスイッチ２２０だけでは対応できないようなページめくり動作にも対応することができる。
【０１４６】
以上説明したように、本実施形態に係る表示装置１によれば、表示画像のページめくりを好適に行うことが可能である。
【０１４７】
なお、本実施形態では楽譜表示装置を例にとり説明したが、当然のことながら楽譜表示装置以外の表示装置、例えば文書、図表、写真等を表示する表示装置等に適用することも可能である。また、表示部１００を、電気泳動表示装置ではなくコレステリック液晶表示装置、電子粉流型表示装置等の記憶性表示装置や、液晶表示装置、有機ＥＬ表示装置等の他の方式の表示装置として構成することも可能である。
【０１４８】
本発明は、上述した実施形態に限られるものではなく、特許請求の範囲及び明細書全体から読み取れる発明の要旨或いは思想に反しない範囲で適宜変更可能であり、そのような変更を伴う表示装置、及び表示装置の制御方法もまた本発明の技術的範囲に含まれるものである。
【符号の説明】
【０１４９】
１…表示装置、１０…コントローラー、２０…画素、２１…画素電極、２２…対向電極、２４…画素スイッチング用トランジスター、２８…素子基板、２９…対向基板、４０…走査線、５０…データ線、６０…走査線駆動回路、７０…データ線駆動回路、８２…白色粒子、８３…黒色粒子、１００…表示部、１１０…左画面、１２０…右画面、２００…入力部、２１０…戻るスイッチ、２２０…進むスイッチ、２３０…書き換え対象変更スイッチ、２５０…共通電位供給回路、３００…制御部、３１０…書き換え対象認識部、３２０…書き換え対象変更部、３３０…書き換え対象通知部、３４０…書き換え部、５００…書き換え対象アイコン。
【図１】
2013097023.tif 000003
【図２】
2013097023.tif 000004
【図３】
2013097023.tif 000005
【図４】
2013097023.tif 000006
【図５】
2013097023.tif 000007
【図６】
2013097023.tif 000008
【図７】
2013097023.tif 000009
【図８】
2013097023.tif 000010
【図９】
2013097023.tif 000011
【図１０】
2013097023.tif 000012
【図１１】
2013097023.tif 000013
【図１２】
2013097023.tif 000014
【図１３】
2013097023.tif 000015
【図１４】
2013097023.tif 000016
【図１５】
2013097023.tif 000017
【図１６】
2013097023.tif 000018
【図１７】
2013097023.tif 000019
【図１８】
2013097023.tif 000020
【図１９】
2013097023.tif 000021
【図２０】
2013097023.tif 000022
【図２１】
2013097023.tif 000023
【図２２】
2013097023.tif 000024